(57)【特許請求の範囲】
【請求項１】
金属板の一面に、その両端部を除いてゴム状のブランケットシートを被覆した印刷用のブランケットの前記両端部を曲げ加工するブランケットの曲げ加工装置であって、
ブランケットの金属板側を載置するアンビルと、アンビル上のブランケットのブランケットシート側を上方から押さえて固定する押さえ面を有する押さえ部材と、アンビルの先端から突出したブランケットの前記両端部を曲げ加工する曲げ棒とを備え、
前記押さえ部材の押さえ面の先端側に凸部を設け、この凸部によって、アンビルの先端部分に位置するブランケットのブランケットシートをより強く押さえるようにしたブランケットの曲げ加工装置。
【発明の詳細な説明】
【技術分野】
【０００１】
本発明は、輪転印刷機のブランケット胴にブランケットを巻き付けるために、その両端部を曲げ加工するブランケットの曲げ加工装置に関する。
【背景技術】
【０００２】
新聞などの印刷に使用される輪転印刷機においては、ブランケット胴の外周面に巻き付けたブランケットに、ブランケット胴に対向して配置した版胴からインキを転写し、転写されたインキを走行紙に転写して印刷を行っている。
【０００３】
このような輪転印刷機において使用されるブランケットとしては、従来、ゴム状のブランケットシートのみからなる単純なブランケットが使用されていた。ところが、このようなブランケットでは、ブランケットシートが肉厚であるため、その両端部（くわえ側及びくわえ尻側）をブランケット胴内部に設けられるブランケット締込み装置まで差し込むためにブランケット胴に形成する拘束溝の幅を大きくせざるを得ず、印刷中にその拘束溝部分で版胴とブランケット胴及びブラケット胴同士の圧接が解除される影響が大きくなり、それによる胴の振動などが引き起こされて印刷不良の原因となっていた。
【０００４】
そこで近年では、図３に示すように、金属板１０の一面に、その両端部１１（くわえ側１１ａ及びくわえ尻側１１ｂ）を除いてブランケットシート１２を被覆した、いわゆるメタルブランケットＢが多用されるようになってきた。このようなメタルブランケットによれば、くわえ側１１ａ及びくわえ尻側１１ｂとなる両端部１１が金属板からなるので、ブランケットシート１２が肉厚になってもブランケット胴に形成する拘束溝の幅を大きくする必要はない。
【０００５】
メタルブランケットにおいては、その両端部１１を例えば図３に示すようなくわえ側１１ａ及びくわえ尻側１１ｂの形状とするために、両端部１１を曲げ加工する必要がある。
【０００６】
この曲げ加工には、従来から、図４に示すような曲げ加工装置が使用されている（例えば特許文献１参照）。この曲げ加工装置は、ブランケットＢを載置するアンビル２０と、アンビル２０上のブランケットＢを上方から押さえて固定する押さえ面２１ａを有する押さえ部材２１と、アンビルの先端から突出したブランケットＢの両端部１１（図ではくわえ側１１ａを示す）を曲げ加工する曲げ棒２２とを備える。そして、図４（ａ）に示すように、ブランケットＢの金属板１０（両端部１１）とブランケットシート１２との境界部をアンビル２０の先端にほぼ合わせた状態で、ブランケットＢのブランケットシート１２を押さえ部材２１の押さえ面２１ａで押さえることで、ブランケットＢを固定し、図４（ｂ）に示すように、アンビル２０の先端から突出したブランケットＢの両端部１１（くわえ側１１ａ）を曲げ棒２２の回転によって曲げ加工する。
【０００７】
しかし、この従来の曲げ加工装置でメタルブランケットを曲げ加工すると、図４（ｂ）に示すように、アンビル２０先端の曲げ位置付近において金属板１０に曲げ加工の反作用による浮きＸが生じる。すなわち、アンビル２０の上面と押さえ面２１ａは平行に構成されているので、曲げ棒２２の回転によって金属板１０の両端部１１を曲げていくと、アンビル２０先端付近には上方すなわち押さえ部材２１を上方に持ち上げる方向の反力が加わり、その反力でゴム状のブランケットシート１２の先端部分が圧縮変形し、その結果、図４（ｂ）に示した浮きＸが生じる。このような浮きＸが曲げ位置に生じると、本来求められる曲げ加工を行うことができない。結果として、図４（ｃ）に示すように、先端の曲率が大きくなって曲げ位置付近が丸みを帯びた形状となり、ブランケットをブランケット胴に巻き付ける際に支障を来すこととなる。
【特許文献１】特許第３５５４３１３号公報
【発明の開示】
【発明が解決しようとする課題】
【０００８】
本発明が解決しようとする課題は、金属板の一面に、その両端部を除いてゴム状のブランケットシートを被覆したブランケットの両端部を正確に曲げ加工することができるブランケットの曲げ加工装置を提供することにある。
【課題を解決するための手段】
【０００９】
本発明のブランケットの曲げ加工装置は、金属板の一面に、その両端部を除いてゴム状のブランケットシートを被覆した印刷用のブランケットの前記両端部を曲げ加工するブランケットの曲げ加工装置であって、ブランケットの金属板側を載置するアンビルと、アンビル上のブランケットのブランケットシート側を上方から押さえて固定する押さえ面を有する押さえ部材と、アンビルの先端から突出したブランケットの前記両端部を曲げ加工する曲げ棒とを備え、前記押さえ部材の押さえ面の先端側に凸部を設け、この凸部によって、アンビルの先端部分に位置するブランケットのブランケットシートをより強く押さえるようにしたことを特徴とするものである。
【発明の効果】
【００１０】
本発明では、押さえ部材の押さえ面の先端側に設けた凸部によって、アンビルの先端部分に位置するブランケットのブランケットシートをより強く押さえるようにしたことで、アンビル先端の曲げ位置近傍において、曲げ加工の反作用によるブランケットシートの圧縮変形を防止できるので、曲げ加工の反作用による浮きの発生を抑えることができ、ブランケットの両端部を正確に曲げ加工することができる。
【発明を実施するための最良の形態】
【００１１】
以下、図面に示す実施例に基づき本発明の実施の形態を説明する。
【００１２】
図１は、本発明の曲げ加工装置の基本構成を示す正面図である。
【００１３】
図１に示すように、本発明の曲げ加工装置は、ブランケットＢの金属板１０側を載置するアンビル２０と、アンビル２０上のブランケットＢのブランケットシート１２側を上方から押さえて固定する押さえ面２１ａを有する押さえ部材２１と、アンビルの先端から突出したブランケットＢの両端部１１（図ではくわえ側１１ａを示す）を曲げ加工する曲げ棒２２とを備える。そして、押さえ部材２１の押さえ面２１ａの先端側には凸部２１ｂが設けられている。
【００１４】
ここで、ブランケットＢは、いわゆるメタルブランケットであって、金属板１０の一面に、その両端部１１を除いてゴム状のブランケットシート１２を被覆したものである。ゴム状のブランケットシート１２は、通常、複数の基布層と表面ゴム層とを備えてなり、基布層と表面ゴム層との間に発泡材などの圧縮性材料からなる圧縮層が設けられる場合もある。
【００１５】
この本発明の曲げ加工装置においては、図１（ａ）に示すように、ブランケットＢの金属板１０（両端部１１）とブランケットシート１２との境界部をアンビル２０の先端にほぼ合わせた状態で、ブランケットＢのブランケットシート１２を押さえ部材２１の押さえ面２１ａ及び押さえ面２１ａに設けた凸部２１ｂで押さえることで、ブランケットＢを固定し、図１（ｂ）示すように、アンビル２０の先端から突出したブランケットＢの両端部１１（くわえ側１１ａ）を曲げ棒２２の回転によって曲げ加工する。
【００１６】
このとき、図１（ｂ）に示すように、押さえ面２１ａの先端側に設けた凸部２１ｂによって、アンビル２０の先端部分に位置するブランケットＢのブランケットシート１２が他の部分より強く押さえられ、結果として、アンビル２０先端の曲げ位置近傍においてブランケットＢ（ブランケットシート１２の先端側）がより強固に押さえられる。したがって、曲げ加工の際にブランケットシート１２の先端側に反作用による圧縮応力が作用しても、それ以上の圧縮変形が防止され、図４で説明した従来の曲げ加工装置で見られたようなアンビル２０先端の曲げ位置における浮きの発生を抑えることができる。これにより、図１（ｃ）に示すようにブランケットＢの両端部１１を正確に曲げ加工することができる。なお、凸部２１ｂによって強く押さえられて他の部分より圧縮されたブランケットシート１２は、押さえ面２１ａ（凸部２１ｂ）による押圧を解除することにより、元の厚さに戻る。
【００１７】
また、図２に示すように、アンビル２０の傾斜面に突起２０ａを設け、これに対向する曲げ棒２２に凹部２２ａを設けることで、ブランケットＢの両端部１１に、図示しないブランケット胴の拘束溝に係合する係合突起１１ｃを形成することもできる。
【００１８】
なお、実施例では、凸部２１ｂは断面四角形状としたが、この形状に限定されるものではない。
【図面の簡単な説明】
【００１９】
【図１】本発明の曲げ加工装置の基本構成を示す正面図である。
【図２】本発明の曲げ加工装置の他の例を示す正面図である。
【図３】金属板の一面にその両端部を除いてブランケットシートを被覆したブランケット（メタルブランケット）を示す斜視図である。
【図４】従来の曲げ加工装置を示す正面図である。
【符号の説明】
【００２０】
１０  金属板
１１  両端部
１１ａ  くわえ側の端部
１１ｂ  くわえ尻側の端部
１１ｃ  係合突起
１２  ブランケットシート
２０  アンビル
２０ａ  突起
２１  押さえ部材
２１ａ  押さえ面
２１ｂ  凸部
２２  曲げ棒
２２ａ  凹部
Ｂ  ブランケット（メタルブランケット）
【図１】
0005148379.tif 000002
【図２】
0005148379.tif 000003
【図３】
0005148379.tif 000004
【図４】
0005148379.tif 000005